(57)【要約】  ドライブシャフト（5）の回転軸線方向から見たとき、中間ギヤ（14）（第２ギヤ（12a2）、内燃機関最終減速ギヤ（12b））の回転中心（O2）は、第１ギヤ（12a1）の回転中心（O1）とリングギヤ（10a）の回転中心（O3）とを結ぶ直線（L1）よりも下方に位置する。
2020070881.tif 000002
【特許請求の範囲】
【請求項１】
内燃機関と、  前記内燃機関が発生する駆動力を受けて発電する発電機と、  前記発電機が発電する電力の供給を受けて駆動輪を駆動する電動機と、  前記内燃機関が発生する駆動力を前記駆動輪へ伝達する伝達装置であって、入力ギヤ、出力ギヤ、中間ギヤ、ケースおよび断接装置を有し、  前記入力ギヤは、前記内燃機関からの駆動力が入力されるものであり、  前記出力ギヤは、前記駆動輪へ向けて駆動力を出力するものであり、  前記中間ギヤは、前記入力ギヤおよび前記出力ギヤ間で駆動力を伝達するものであり、  前記ケースは、前記入力ギヤ、前記中間ギヤおよび前記出力ギヤを収容するものであり、  前記断接装置は、前記入力ギヤへの駆動力の入力経路を切断と接続との間で切り替えるものであり、  前記中間ギヤの回転軸線に沿う方向を軸方向としたとき、前記中間ギヤの回転中心は、前記軸方向から見て、前記入力ギヤの回転中心と前記出力ギヤの回転中心とを結ぶ直線よりも鉛直方向下方に位置するものである、  前記伝達装置と、  を備えたハイブリッド車両。
【請求項２】
請求項１に記載のハイブリッド車両であって、  鉛直方向において、前記中間ギヤの最下端は、前記入力ギヤの最下端よりも下方に位置するハイブリッド車両。
【請求項３】
請求項１または２に記載のハイブリッド車両であって、  前記入力ギヤは、前記中間ギヤによって掻き上げられた潤滑油のみで潤滑されるハイブリッド車両。
【請求項４】
請求項１ないし３のいずれか１項に記載のハイブリッド車両であって、  前記中間ギヤは、前記ケース内に貯留された潤滑油内を通過した前記中間ギヤの歯が前記出力ギヤの歯よりも先に前記入力ギヤの歯と噛み合う方向に回転するハイブリッド車両。
【請求項５】
請求項１ないし４のいずれか１項に記載のハイブリッド車両は、  前記中間ギヤにより掻き上げられた潤滑油を前記入力ギヤに供給する油路を備えるハイブリッド車両。
【請求項６】
請求項１ないし５のいずれか１項に記載のハイブリッド車両であって、  鉛直方向において、前記入力ギヤの最下端は、前記ケース内に貯留された潤滑油の油面よりも上方に位置するハイブリッド車両。
【発明の詳細な説明】
【技術分野】
【０００１】  本発明は、ハイブリッド車両に関する。
【背景技術】
【０００２】  特許文献１には、シリーズ方式とパラレル方式とを切り替えて走行可能なハイブリッド車両が開示されている。このハイブリッド車両では、パラレル方式を実現するための伝達装置が内燃機関と駆動輪との間に設置されている。伝達装置は、内燃機関と接続する入力ギヤと、駆動輪と接続する出力ギヤと、入力ギヤと出力ギヤとを接続する中間ギヤと、内燃機関および入力ギヤ間の駆動力伝達経路を断接するクラッチと、を有する。
【先行技術文献】
【特許文献】
【０００３】
【特許文献１】特許第6202256号公報
【発明の概要】
【発明が解決しようとする課題】
【０００４】  入力ギヤは体積の大きな内燃機関からの駆動力が入力されるため、伝達装置が収容されたケース内において、他のギヤと比べて相対的に高い位置に設けられている。このため、入力ギヤは潤滑油の油面よりも高い位置にあり、潤滑油の供給が課題となる。上記従来のハイブリッド車両では、入力ギヤと噛み合う中間ギヤが入力ギヤよりも高い位置にあるため、潤滑油の掻き上げによって入力ギヤを潤滑するのが困難であった。  本発明の目的は、入力ギヤの潤滑性を向上できるハイブリッド車両を提供することにある。
【課題を解決するための手段】
【０００５】  本発明のハイブリッド車両では、内燃機関が発生する駆動力を駆動輪へ伝達する伝達装置において、中間ギヤの回転軸線に沿う方向を軸方向としたとき、中間ギヤの回転中心は、軸方向から見て、入力ギヤの回転中心と出力ギヤの回転中心とを結ぶ直線よりも鉛直方向下方に位置する。
【発明の効果】
【０００６】  よって、中間ギヤによって掻き上げられた潤滑油を入力ギヤに供給できるため、入力ギヤの潤滑性を向上できる。
【図面の簡単な説明】
【０００７】
【図１】実施形態１のハイブリッド車両の駆動系を示す概略図である。
【図２】実施形態１のケース13をドライブシャフト5の軸方向から見た模式図である。
【図３】入力軸1bの横断面図である。
【符号の説明】
【０００８】1  内燃機関2  発電用モータ（発電機）3  走行用モータ（電動機）6  駆動輪10a  リングギヤ（出力ギヤ）11  内燃機関走行用クラッチ（断接装置）12a1  第１ギヤ（入力ギヤ）12a2  第２ギヤ（中間ギヤ）12b  内燃機関最終減速ギヤ（中間ギヤ）13  ケース14  中間ギヤ
【発明を実施するための形態】
【０００９】  〔実施形態１〕  図１は、実施形態１のハイブリッド車両の駆動系を示す概略図である。  実施形態１のハイブリッド車両は、内燃機関（エンジン）1、発電用モータ（発電機）2、走行用モータ（電動機）3、伝達装置4、ドライブシャフト5および駆動輪6を有する。  内燃機関1のクランク軸1aは、入力軸1bと連結されている。入力軸1bは、発電用モータギヤ列7を介して発電用モータ2のモータ軸2aと連結されている。発電用モータギヤ列7は、３つのギヤ7a,7b,7cを有する。第１ギヤ7aは、入力軸1bと一体に回転する。第３ギヤ7cは、モータ軸2aと一体に回転する。第２ギヤ7bは、第１ギヤ7aおよび第３ギヤ7cとそれぞれ噛み合う。
【００１０】  走行用モータ3のモータ軸3aは、モータ走行用クラッチ8を介して走行用モータ減速機構9と連結されている。走行用モータ減速機構9は、走行用モータギヤ列9aおよび走行用モータ最終減速ギヤ9bを有する。走行用モータギヤ列9aは、互いに噛み合う２つのギヤ9a1,9a2を有する。第１ギヤ9a1はモータ走行用クラッチ8における締結要素の一方と連結されている。締結要素の他方はモータ軸3aと連結されている。第２ギヤ9a2は、回転軸9cにより走行用モータ最終減速ギヤ9bと結合されている。走行用モータ最終減速ギヤ9bは、伝達装置4におけるデファレンシャル10のリングギヤ（出力ギヤ）10aと噛み合う。モータ走行用クラッチ8は、解放によりモータ軸3aと第１ギヤ9a1との相対回転を許容し、締結によりモータ軸3aと第１ギヤ9a1との相対回転を規制する。
【００１１】  伝達装置4は、上記デファレンシャル10に加え、内燃機関走行用クラッチ（断接装置）11および内燃機関走行用ギヤ組12を有する。内燃機関走行用クラッチ11は、解放により入力軸1bと内燃機関走行用ギヤ組12（の第１ギヤ12a1）との相対回転を許容し、締結により入力軸1bと内燃機関走行用ギヤ組12との相対回転を規制する。内燃機関走行用ギヤ組12は、内燃機関走行用ギヤ列12aおよび内燃機関最終減速ギヤ12bを有する。内燃機関走行用ギヤ列12aは、互いに噛み合う２つのギヤ12a1,12a2を有する。第１ギヤ（入力ギヤ）12a1は内燃機関走行用クラッチ11における締結要素の一方と連結されている。締結要素の他方は入力軸1bと連結されている。第２ギヤ12a2は、回転軸12cにより内燃機関最終減速ギヤ12bと結合されている。内燃機関最終減速ギヤ12bは、リングギヤ10aと噛み合う。デファレンシャル10は、リングギヤ10aの他、内部に作動機構部（不図示）を有するデフケース10bを有する。作動機構部の左右サイドギヤは、左右のドライブシャフト5と結合されている。左右のドライブシャフト5は、駆動輪6と結合されている。
【００１２】  実施形態１のハイブリッド車両は、モータ走行用クラッチ8を締結する一方、内燃機関走行用クラッチ11を解放することにより、走行用の動力源として走行用モータ3のみを用い、内燃機関1を発電用の動力源として使用するシリーズハイブリッドモードによる走行を行う。また、モータ走行用クラッチ8を解放する一方、内燃機関走行用クラッチ11を締結することにより、走行用の動力源として内燃機関1のみを用いる内燃機関直結モードによる走行を行う。なお、両クラッチ8,11を共に締結することにより、パラレルハイブリッドモードによる走行も可能である。
【００１３】  図２は、実施形態１のケース13をドライブシャフト5の軸方向から見た模式図である。図３では、各ギヤの噛み合いピッチ円を図示している。また、図３の紙面上方は鉛直方向上方と一致し、紙面左方は車両前後方向左方と一致する。  ケース13には、伝達装置4の構成要素（デファレンシャル10、内燃機関走行用クラッチ11および内燃機関走行用ギヤ組12）に加えて、発電用モータギヤ列7および走行用モータ減速機構9が収容されている。  デファレンシャル10のリングギヤ10a、内燃機関走行用ギヤ組12の第２ギヤ12a2および内燃機関最終減速ギヤ12b、発電用モータギヤ列7の第２ギヤ7bおよび第３ギヤ7cは、ケース13の最下部に配置されている。各ギヤ10a,12a2,12b,7b,7cの最下端は、ケース13内の最下部に貯留されるオイル（以下、潤滑油）の油面OLよりも下方に位置する。油面OLは、各ギヤ10a,12a2,12b,7b,7cの下側略半分が常時浸かる高さに設定されている。
【００１４】  走行用モータ減速機構9の各ギヤ9a1,9a2,9bは、リングギヤ10aよりも上方の位置に配置されている。第１ギヤ9a1は、第２ギヤ9a2および走行用モータ最終減速ギヤ9bよりも上方の位置に配置されている。  内燃機関走行用ギヤ組12の第１ギヤ12a1および発電用モータギヤ列7の第１ギヤ7aは、発電用モータギヤ列7の第２ギヤ7b、内燃機関走行用ギヤ組12の第２ギヤ12a2および内燃機関最終減速ギヤ12bよりも上方の位置に配置されている。各ギヤ12a1,7aの最下端は、油面OLよりも上方に位置しており、潤滑油には浸かっていない。ドライブシャフト5の回転軸線方向から見たとき、第２ギヤ12a2および内燃機関最終減速ギヤ12bの回転中心O2は、第１ギヤ12a1の回転中心O1とリングギヤ10aの回転中心O3とを結ぶ直線L1よりも下方に位置する。
【００１５】  図２において、各ギヤのピッチ円内側に記載された矢印は、車両前進時の回転方向を示すものである。ここで、第２ギヤ12a2および内燃機関最終減速ギヤ12bは、回転軸12cで連結された同一歯数のギヤであるため、１つの中間ギヤ14と見なせる。中間ギヤ14は、図２において、時計回りの方向に回転する。つまり、中間ギヤ14は、ケース13内に貯留された潤滑油を通過した中間ギヤ14の歯14aがリングギヤ10aの歯15よりも先に第１ギヤ12a1の歯16と噛み合う方向に回転する。
【００１６】  ケース13の左側壁13aには、油溜まり17が設けられている。油溜まり17は、左側壁13aからケース13の内側へ突出し、上方が開口する凹形状を有する。油溜まり17は、中間ギヤ14によって掻き上げられた潤滑油を貯留可能である。油溜まり17は、その最下端に開口部17aを有する。  左側壁13aにおいて、油溜まり17の下方には、油路18が設けられている。油路18は、左側壁13aからケース13の内側へ突出する凸条であり、開口部17aから落下した潤滑油は、油路18を伝って入力軸1bの先端部へと導かれる。
【００１７】  図３は、入力軸1bの横断面図である。  ケース13の左側壁13aには、軸受部19が設けられている。軸受部19には、ボールベアリング20が取り付けられている。ボールベアリング20は、入力軸1bの先端部を回転可能に支持する。軸受部19において、入力軸1bの先端面と対向する位置には、上方に開口する凹部19aが設けられている。凹部19aには、油路18を伝って流れる潤滑油が導入される。  入力軸1bは、その内部に軸芯潤滑油路21および複数の径方向油路22を有する。軸芯潤滑油路21は、入力軸1bの先端から入力軸1bの回転軸線に沿う方向に延びる。軸芯潤滑油路21は、凹部19aと連通する。径方向油路22は、入力軸1bの回転軸線に対して放射方向に延び、軸芯潤滑油路21と入力軸1bの外周面とを連通する。  油路18を通って凹部19aへと落下した潤滑油は、軸芯潤滑油路21へと供給され、遠心力により径方向油路22を通過して第１ギヤ7aおよび第１ギヤ12a1の潤滑に供される。
【００１８】  次に、実施形態１の作用効果を説明する。  実施形態１のハイブリッド車両は、入力軸1bから第１ギヤ12a1への駆動力の入力経路を断接可能な内燃機関走行用クラッチ11を有する。シリーズハイブリッドモードでは、内燃機関走行用クラッチ11を解放することにより、発電用モータ2へ駆動力を伝える経路（発電用モータギヤ列7）から分岐した先（内燃機関走行用ギヤ組12）において、無負荷で噛み合うギヤを削減できる。すなわち、内燃機関走行用ギヤ組12には、駆動輪6の回転が伝わるため、無負荷ではない。この結果、内燃機関1のトルク変動に伴う歯打ち音の発生を抑制できる。
【００１９】  一方、内燃機関1は体積が大きく、クランク軸1aの上下方向位置は、ドライブシャフト5等と比べて相対的に高い位置となりやすい。このため、伝達装置4のケース13内において、内燃機関1からの駆動力が入力される内燃機関走行用ギヤ組12の第１ギヤ12a1についても、リングギヤ10a等と比べて相対的に高い位置に設けられる。シリーズハイブリッドモードにおいて、第１ギヤ12a1は空転し続ける（駆動輪6に連れ回りする）が、第１ギヤ12a1は相対的に高い位置にあり、ケース13内に貯留された潤滑油の油面OLから離れているため、潤滑油の供給が課題となる。
【００２０】  これに対し、実施形態１のハイブリッド車両では、ドライブシャフト5の回転軸線方向から見たとき、中間ギヤ14（第２ギヤ12a2、内燃機関最終減速ギヤ12b）の回転中心O2は、第１ギヤ12a1の回転中心O1とリングギヤ10aの回転中心O3とを結ぶ直線L1よりも下方に位置する。これにより、中間ギヤ14によって油面OLの上方に掻き上げられた潤滑油の一部が第１ギヤ12a1に飛散し、第１ギヤ12a1に潤滑油を供給できるため、第１ギヤ12a1の潤滑性を向上できる。
【００２１】  鉛直方向において、中間ギヤ14の最下端は、第１ギヤ12a1の最下端よりも下方に位置する。これにより、ケース13内に貯留された潤滑油に触れる中間ギヤ14の体積が大きくなるため、掻き上げられる潤滑油量が増大し、第１ギヤ12a1の潤滑性をさらに向上できる。
【００２２】  第１ギヤ12a1は、中間ギヤ14によって掻き上げられた潤滑油のみで潤滑される。すなわち、第１ギヤ12a1に潤滑油を圧送するためのポンプが不要であるため、当該ポンプの作動に伴う動力損失の発生を防げる。
【００２３】  中間ギヤ14は、ケース13内に貯留された潤滑油内を通過した中間ギヤ14の歯14aがリングギヤ10aの歯15よりも先に第１ギヤ12a1の歯16と噛み合う方向に回転する。中間ギヤ14がリングギヤ10aよりも先に第１ギヤ12a1と噛み合う構成とすることにより、中間ギヤ14によって油面OLの上方に掻き上げられた潤滑油が直接第１ギヤ12a1に飛散し、第１ギヤ12a1に多くの潤滑油を供給できるため、第１ギヤ12a1の潤滑性をさらに向上できる。
【００２４】  中間ギヤ14により掻き上げられた潤滑油を第１ギヤ12a1に供給する油路として、油溜まり17、油路18、凹部19a、軸芯潤滑油路21および複数の径方向油路22を備える。これにより、中間ギヤ14によって掻き上げられた潤滑油のうち、第１ギヤ12a1に付着しなかった潤滑油の一部を、第１ギヤ12a1の潤滑に利用できる。この結果、中間ギヤ14によって掻き上げられた潤滑油の利用効率を高められる。また、第１ギヤ12a1の潤滑性をさらに向上できる。
【００２５】  鉛直方向において、第１ギヤ12a1の最下端は、ケース13内に貯留された潤滑油の油面OLよりも上方に位置する。これにより、第１ギヤ12a1による潤滑油撹拌に伴う動力伝達効率の悪化を防止できる。また、潤滑油撹拌に伴う発熱を抑え、過剰な温度上昇を抑制できる。
【００２６】  （他の実施形態）  以上、本発明を実施するための形態を、実施形態に基づいて説明したが、本発明の具体的な構成は、実施形態に限定されるものではなく、発明の要旨を逸脱しない範囲の設計変更等があっても本発明に含まれる。  例えば、ケース13内に貯留される潤滑油の油面OLは、少なくとも中間ギヤ14の一部が浸かる高さであればよい。
【図１】
2020070881.tif 000003
【図２】
2020070881.tif 000004
【図３】
2020070881.tif 000005
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
内燃機関と、
前記内燃機関が発生する駆動力を受けて発電する発電機と、
前記発電機が発電する電力の供給を受けて駆動輪を駆動する電動機と、
前記内燃機関が発生する駆動力を前記駆動輪へ伝達する伝達装置であって、入力ギヤ、出力ギヤ、中間ギヤおよび断接装置を有し、
前記入力ギヤは、前記内燃機関からの駆動力が入力されるものであり、
前記出力ギヤは、前記駆動輪へ向けて駆動力を出力するものであり、
前記中間ギヤは、前記入力ギヤおよび前記出力ギヤ間で駆動力を伝達するものであり、
前記断接装置は、前記入力ギヤへの駆動力の入力経路を切断と接続との間で切り替えるものであり、
前記中間ギヤの回転軸線に沿う方向を軸方向としたとき、前記中間ギヤの回転中心は、前記軸方向から見て、前記入力ギヤの回転中心と前記出力ギヤの回転中心とを結ぶ直線よりも鉛直方向下方に位置するものである、
前記伝達装置と、
前記内燃機関が発生する駆動力を前記発電機へ伝達する第２の伝達装置であって、第２の入力ギヤ、第２の出力ギヤ、第２の中間ギヤを有し、
前記第２の入力ギヤは、前記入力ギヤと同軸上に設けられ、前記内燃機関からの駆動力が入力されるものであり、
前記第２の出力ギヤは、前記発電機へ向けて駆動力を出力するものであり、
前記第２の中間ギヤは、前記第２の入力ギヤおよび前記第２の出力ギヤ間で駆動力を伝達するものである、
前記第２の伝達装置と、
前記入力ギヤ、前記中間ギヤ、前記出力ギヤ、前記第２の入力ギヤ、前記第２の出力ギヤおよび前記第２の中間ギヤを収容するケースと、
を備え、
鉛直方向において、前記第２の中間ギヤの最下端は、前記ケース内に貯留された潤滑油の油面よりも下方に位置する、
ハイブリッド車両。
【請求項２】
請求項１に記載のハイブリッド車両であって、
鉛直方向において、前記中間ギヤの最下端は、前記入力ギヤの最下端よりも下方に位置するハイブリッド車両。
【請求項３】
請求項１または２に記載のハイブリッド車両であって、
前記入力ギヤは、前記中間ギヤによって掻き上げられた潤滑油のみで潤滑されるハイブリッド車両。
【請求項４】
請求項１ないし３のいずれか１項に記載のハイブリッド車両であって、
前記中間ギヤは、前記ケース内に貯留された潤滑油内を通過した前記中間ギヤの歯が前記出力ギヤの歯よりも先に前記入力ギヤの歯と噛み合う方向に回転するハイブリッド車両。
【請求項５】
請求項１ないし４のいずれか１項に記載のハイブリッド車両は、
前記中間ギヤにより掻き上げられた潤滑油を前記入力ギヤに供給する油路を備えるハイブリッド車両。
【請求項６】
請求項１ないし５のいずれか１項に記載のハイブリッド車両であって、
鉛直方向において、前記入力ギヤの最下端は、前記ケース内に貯留された潤滑油の油面よりも上方に位置するハイブリッド車両。
【国際調査報告】
2020070881.tif 000006
2020070881.tif 000007
2020070881.tif 000008
2020070881.tif 000009